(57)【要約】【課題】吸入回転弁の角部の吸微出入及びロータの角部の後微出入及び前微出入及び排気回転弁の角部の排微出入の各各の先端から気体が漏れを少なくする。【解決手段】吸入回転弁の角部に内からバネで押された複数の吸微出入を挟んだ吸微回転を設けそしてロータの角部にも内からバネで押された複数の後微出入を挟んだ後微回転を設けそしてロータの前角にも内からバネで押された複数の前微出入を挟んた前微回転を設けそして排気回転弁の角部にも内からバネで押された複数の排微出入を挟んだ排微回転を設ける。１番目の微出入の隙間から漏れた気体が１番目の微出入と２番目の微出入の間に１時的に溜まりその気圧により１番目の微出入から漏れそうな気体の漏れを止める。【選択図】図１
2010025098.tif 000002
【特許請求の範囲】
【請求項１】
断面略半円形の吸入回転弁枠（５）内に断面略半円形の吸入回転弁（４）を設け、燃焼室（１６）を挟んで下手側に断面略半円形の排気回転弁枠（３１）を設け、排気回転弁枠（３１）の中に断面略半円形の排気回転弁（３０）を設け、そして断面略出曲角部を２個設けその反対側が円状の略卵形のロータを設けロータ頂部（３９）はロータ枠前（４８）及びロータ枠後（４２）に接っしなから回転し吸入回転弁とロータ及びロータと排気回転弁は同方向に等角回転して接っしながら回転し吸入回転弁の弧部と弦部の交わる所に角部当り以外は断面円状の空部を設け空部に内からバネ（７）、（６）で押された吸微出入前（３）と吸微出入後（１０）及びそれらを含めた複数の吸微出入を設けた吸微回転（８）を設けて気体の漏れを少なくする事を特徴とした漏れ減少微出入。
【請求項２】
ロータの出曲角部以外は断面円状のの空部を設け空部に内からバネ（４０）、（４１）で押された後微出入前（１４）と後微出入後（１２）も含めた複数の微出入を挟んだ回転角自由の後微回転（１５）を設けそして前部の空部にバネ（３７）、（３８）で押された前微出入前（２１）、と前微出入後（２０）も含めた複数の微出入を挟んだ前微回転（１８）を設けて気体の漏れも少なくする事を特徴とした請求項１記載の漏れ減少微出入。
【請求項３】
排気回転弁の弧部と弦部の交わる所に角部当り以外の所が断面略円状の空部を設け空部に内からバネ（２９）、（３６）で押れた排微出入前（２６）と排微出入後（２８）も含めて複数の微出入を挟んだ回転角自由の排微回転（２２）を設けて気体の漏れを減少させる事をを特徴とした請求項１、記載の漏れ減少微出入。
【発明の詳細な説明】
【技術分野】
【０００１】真円ロータリーエンジンの各各の回転体と各各の枠の間から気体の漏れがあるのでその漏れを減少させる事である。
【背景技術】
【０００２】特願２００４−２６８９９７があるが真円ロータリエンジンの気体の漏れを減少させる技術は無かった。
【発明の開示】
【発明が解決しようとする課題】
【０００３】真円ロータリーエンジンは、吸入回転弁枠と吸入回転弁の間から気体が漏れ、ロータ枠とロータ頂部の間からも気体が漏れ、排気回転弁枠と排気回転弁の間からも気体が漏れるので各各の漏れを減少させたい。
【課題を解決するための手段】
【０００４】吸入回転弁の弧部と弦部の交部に角部以外に断面略円状の空部を設け空部に中から押されたバネ６、７で吸微出入前３と吸微出入後１０を挟んだ断面略円状の吸微回転８を設ける。吸微回転はバネ６０、６１で元の位置に戻ろうとする。吸微出入前と吸微出入後を押すバネが座屈しないためプレートに両端未達のバネの中に芯を設け又は両端未達の筒の中にバネ又はその両方の手段でバネの座屈防止の手段とし芯又は筒のどちらか１方の端を各各の微出入の底又はプレートに固着しバネを入れて圧縮して組み入れるか又は圧縮したバネを入れて組み入れて圧縮を解くかにする。又は各各の微出入の底とプレートの間にスライドケースを設けて中にバネを入れて圧縮して組み入れる。吸微出入前３と吸微出入後１０出止め５９、９を設ける。【０００５】ロータのロータ頂部３９の弧とロータ後部５６の出曲部の交部の角当り以外に断面略円状の空部を設けその空部に内からバネ４０、４１で押された後微出入前１４と後微出入後１２を挟んだ後微回転１５を設け後微出入後１２に出止め１１を設け後微出入前１４に出止め１３を設ける。【０００６】ロータ頂部３９の弧とロータ前部５３の出曲面の交部の角当り以外を断面略円状の空部を設け空部にバネ３７、３８で押された前微出入前２１と前微出入後２０を挟んだ前微回転１８を設ける。前微出入前２１に出止め２４を設け前微出入後２０に、出止め１９を設ける【０００７】排気回転弁３０の弧と排弦前部５５の交部の角部当りに角部当り以外の所に断面略円状の空部を設け空部に内からバネ２９、３６で押された排微出入前２６と排微出入後２８を挟んだ排微回転２２を設け排微出入前２６に出止めを設け排微出入後２８にも出止め３５を設ける【０００８】好みの微回転に３枚以上の微出入を挟む事もある。
【発明の効果】
【０００９】複数枚の微出入で押ので１番目の微出入から漏れた気体が１番目の微出入と２番目の微出入の間に入ってその入った気圧により１番目の微出入から出て来ようとする気体を止めるので気体の漏れが少なくなる、
【発明を実施するための最良の形態】
【００１０】各各の回転体の角部当りに角部当り以外断面略円状の空部を設け空部に内から２列で押されたバネで２枚の微出入を挟んだ微回転を各各設ける。各各の微出入に各各出止めを設ける。バネはスライドケース内に入れて伸縮自由とする。
【実施例】
【００１１】微出入は各各の枠に接っする方を複数個所接っするようにする。バネ室にプレートに複数列のバネ座屈止め棒を固着して、バネ座屈止め棒は各各の微出入に届かない事とし事としバネ座屈止め棒にバネをかぶせてバネを圧縮して各各の微出入の下部に入れる事もある。
【産業上の利用分野】
【００１２】自動車産業に利用出来る。
【図面の簡単な説明】
【００１３】
【図１】漏れ減少微出入の全体図。
【図２】吸入回転弁の漏れ減少微出入の全体図。
【図３】Ａ−Ａ断面図
【図４】Ｂ−Ｂ断面図
【図５】Ｃ−Ｃ断面図
【図６】ロータの漏れ減少微出入の全体図。
【図７】Ｄ−Ｄ断面図
【図８】Ｅ−Ｅ断面図
【図９】排気回転弁の漏れ減少微出入の全体図。
【図１０】Ｆ−Ｆ断面図。
【符号の説明】
【００１４】吸微出入前            ３
吸入回転弁            ４
吸入回転弁枠          ５
バネ                  ６０、６１、６２、６、７、４０、４１、３８、３７、３６、２９、１１１  ６３、６４、６５、１１０、１０７、２２３、２２１、２２０、２１６、６６、６７、２１５、２１２、２２３、２２１、２２０、３０５、３０７、３１０
吸微回転              ８
出止め                ９、５９、１１、１３、１９、２４、３５、２７、
吸入微出入後          １０
後微出入前            １４
後微出入後            １２
後微回転              １５
前微回転              １８
前微出入後            ２０
前微出入前            ２１
燃焼室                １６
プラグ                １７
排微回転              ２２
ロータ                ４７
排微出入前            ２６
排微出入後            ２８
排気回転弁            ３０
排通気部              ５２
排気回転弁枠          ３１
ロータ枠後            ４２
排気口                ４３
仕切回転弁枠          ４４
仕切回転弁後弦        ４５
仕切回転弁前弦        ４９
吸入口                ４６
ロータ枠前            ４８
吸通気部              ５１
ロータ前部            ５３
排弦後部              ５４
排弦前部              ５５
ロータ後部            ５６
吸弦後部              ５７
吸弦前部              ５８
ロータ頂部            ３９
油だめ                ６８、６９、７０、７１、８０、８１、８２、
スライドケース        １０５、１０４、１０８、１０６、１０９、２０８、２０９、２１３、２１０、２１４、２１１、２０６、２０７、２２２、２１８、２１７、３１２、３１１、３０９、３０８、３０４、３０３、
吸微出入後            １０１
吸微出入中            １０２
吸微出入前            １０３
吸微出入中ひっかけ部  １０２Ａ、１０２Ｂ
吸微出入前ひっかけ部  １０３Ａ
吸微出入後ひっかけ部  １０１Ａ
ひっかけ線吸微出入後  １１２
ひっかけ線吸微出入前  １１３
後微出入後            ２００
後微出入中            ２０１
後微出入前            ２０２
前微出入後            ２０３
前微出入中            ２０４
前微出入前            ２０５
後微出入中ひっかけ部  ２０１Ａ、２０１Ｂ
後微出入後ひっかけ部  ２０２Ａ
後微出入前ひっかけ部  ２００Ａ
ひっかけ線後微出入後  ２２０
ひっかけ線後微出入前  ２２１
前微出入中ひっかけ部  ２０４Ａ、２０４Ｂ
前微出入後ひっかけ部  ２０３Ａ
前微出入前ひっかけ部  ２０５Ａ
ひっかけ線前微出入後  ２２２
ひっかけ線前微出入前  ２２３
排微出入後            ３００
排微出入中            ３０１
排微出入前            ３０２
排微出入中ひっかけ部  ３０１Ａ、３０１Ｂ
排微出入後ひっかけ部  ３００Ａ
排微出入前ひっかけ部  ３０２Ａ
ひっかけ線排微出入前  ３０５
ひっかけ線排微出入後  ３０６
【図１】
2010025098.tif 000003
【図２】
2010025098.tif 000004
【図３】
2010025098.tif 000005
【図４】
2010025098.tif 000006
【図５】
2010025098.tif 000007
【図６】
2010025098.tif 000008
【図７】
2010025098.tif 000009
【図８】
2010025098.tif 000010
【図９】
2010025098.tif 000011
【図１０】
2010025098.tif 000012